(57)【要約】【課題】  装身具用展示台の宝飾品を飾る部分が間欠的な微振動を行なえる構造にすることで、ペンダントの宝石に自然な揺動を与えることを可能とし、光り輝く美しさとその製品の特徴を十分に発揮することができる装身具用展示台を提供すること。【解決手段】  太陽電池に接続され、この太陽電池を電源として固定点を軸に周期運動を行う可動部を備えた揺動装置と、この揺動装置の可動部により左右に揺動可能なように軸支された装身具を展示する展示面を備えたハウジングとを有し、揺動装置の可動部が周期運動を行うとこの可動部の所定の部位がハウジングの所定の部位に当たり、その衝撃により展示面が間欠的な微振動を行う。【選択図】      図１
0003105141.tif 000002
【実用新案登録請求の範囲】
【請求項１】
太陽電池に接続され、この太陽電池を電源として固定点を軸に周期運動を行う可動部を備えた揺動装置と、
前記揺動装置の可動部により左右に揺動可能なように軸支された装身具を展示する展示面を備えたハウジングとを有し、
前記揺動装置の可動部が周期運動を行うとこの可動部の所定の部位が前記ハウジングの所定の部位に当たり、その衝撃により前記展示面が間欠的な微振動を行うことを特徴とする装身具用展示台。
【請求項２】
請求項１に記載の展示台において、前記可動部の所定の部位が当たる前記ハウジングの所定の部位には、前記ハウジングの過揺動を防止する過揺動防止材が貼付されていることを特徴とする装身具用展示台。
【考案の詳細な説明】
【技術分野】
【０００１】
本考案は装身具用展示台、特にペンダントやイヤリングなどの装身具を飾る装身具用展示台に関する。
【背景技術】
【０００２】
従来、ダイヤモンドなどの宝石を取り付けた装身具を飾る装身具用展示台には多種多様のものが存在し、その形状も様々である。例えば、ペンダントを展示する展示台としては、図８に示す展示台７０のように、人間の胸元そのままに近い立体状に形成されるものや、その曲線部のラインを模倣して板状に形成されたものが知られている。
【０００３】
一方、新しいタイプの装身具として、図９および図１０に示すようなペンダント６０が知られている。このようなペンダント６０は、上方にチェーン６１が取り付けられるチェーン連結部６３を備えた台座６５の背面にテーパー状の定着部６４を形成し、前面には先端に吊下孔６８と後方に湾曲部７０を設けた吊下部６６が形成されている。
【０００４】
吊下孔６８は、係止環７１により宝石７２を取り付けた装飾片６２を揺動可能に吊り下げるための孔である。このような構造により、微振動でも装飾片６２が前後左右に揺れることができるとともに、前だけではなく後方からも宝石７２に光が入射されるので、宝石７２が理想的な光の反射を行うことができ、ペンダントをより美しくみせることができる。
【考案の開示】
【考案が解決しようとする課題】
【０００５】
しかしながら、従来からあるペンダント用の展示台７０（図８参照）にこのようなペンダント６０をそのまま吊り下げて展示した場合、その首部分にチェーン６１を引っ掛け、ペンダント６０を静止した状態で吊り下げるに過ぎない。したがって、装飾片６２が揺動することで宝石７２が光り輝く美しさになるという本製品の特徴を発揮することはできず、その魅力も半減され、ペンダント６０を購入しようとする需要者の注意を喚起し、その購買意欲を増進させるための展示をすることはできなかった。
【０００６】
本考案はこのような従来技術の課題を解決し、装身具用展示台の宝飾品を飾る部分が間欠的な微振動を行なえる構造にすることで、ペンダントの宝石に自然な揺動を与えることを可能とし、光り輝く美しさとその製品の特徴を十分に発揮することができる装身具用展示台を提供することを目的とする。
【課題を解決するための手段】
【０００７】
本考案は上記課題を解決するための手段として、太陽電池に接続され、この太陽電池を電源として固定点を軸に周期運動を行う可動部を備えた揺動装置と、この揺動装置の可動部により左右に揺動可能なように軸支された装身具を展示する展示面を備えたハウジングとを有し、揺動装置の可動部が周期運動を行うとこの可動部の所定の部位がハウジングの所定の部位に当たり、その衝撃により展示面が間欠的な微振動を行う。
【０００８】
また、本考案において、可動部の所定の部位が当たるハウジングの所定の部位には、ハウジングの過揺動を防止する過揺動防止材が貼付されている。
【考案の効果】
【０００９】
本考案による装身具用展示台によれば、宝飾品を飾った展示面が間欠的に微振動するので、ペンダントなどの装身具の宝石を適度に揺動させて美しく光輝かせることができる。これにより、需要者の購買意欲を喚起し、展示される装身具の商品価値を著しく高めることができる。また、微振動させるための電源を太陽電池としたことにより、コンセントの無いショーウィンドウでも手軽に使用することができるとともに、乾電池等を使用した場合のように電池切れの心配がなくなりメンテナンスに優れている。
【考案の実施の形態】
【００１０】
以下、本考案による装身具用展示台の実施の形態を図面を用いて説明する。図１から図４はそれぞれ、本考案による装身具用展示台を宝飾品ディスプレイに適用したときの実施の形態を示す正面図、背面図、側面図および上面図である。
【００１１】
装身具用展示台１０は、太陽電池で駆動される揺動装置４０を備え、この装置４０により図９および図１０に示したペンダント６０が飾られる展示面１２が左右に間欠的に微振動する展示台である。図１に示すように、展示面１２は、ペンダント６０のチェーン６１を掛ける半円形の溝２２a,２２bが上面左右に形成されるとともに、上部中央にペンダント６０の金額を記した値札を掛けるための値札掛け２４が取り付けられている。
【００１２】
図１から図４に示すように、展示面１２には、その裏面の左右やや下側に板状の接合部材１８a, １８bが接着されている。これら接合部材１８はまた、展示面１２よりも幅および長さが短い長方形の背面板１４に取り付けられ、これにより展示面１２と背面板１４とが一体的に成形されている。
【００１３】
展示面１２と背面板１４はまた、これらの間に棒状の円柱１６が取り付けられている。すなわち、展示面１２の上部中央は円筒状の接合部材１７aにより円柱１７の一端が取り付けられ、背面板１４の上部中央には円筒状の接合部材１７bにより円柱１６の他端が取り付けられている。これら展示面１２、背面板１４、接合部材１８a,
１８bおよび円柱１６によりペンダント６０を飾るハウジング１１が形成されている。展示面１２および背面板１４は、円柱１６から装身具用展示台１０が置かれた面までの長さよりも短くなっており、円柱１６によりハウジング１１が宙ずり状態になっている。
【００１４】
円柱１６は揺動装置４０に取り付けられた高さおよび幅が同じ長方形の板３２，３４の上面中央の同位置に形成された、円柱１６よりもやや半径の大きい半円形の溝３３、３５に載置されている。このように円柱１６を溝３３，３５に載置することでこれを軸に展示面１２と背面板１４とが左右に動くことを可能としている。背面板１４は、その上部中央にネックレス留め２６が取り付けられている。なお、このネックレス留め２６は本実施の形態では円柱１６を貫通させたものである。
【００１５】
接合部材１８a,１８bにはそれぞれ、ソフトスポンジ状の過揺動防止材２０a,２０bが貼付されている。この過揺動防止材２０a,２０bは、揺動装置４０の振り子４２がぶつかったときの衝撃を吸収するために取り付けられた部材である。過揺動防止部材２０を取り付けることで展示面１２の揺れを抑え、ペンダント６０に適した微振動を実現している。したがって、過揺動防止材２０の厚さや素材を変えることで展示面１２の微振動を調節することができる。
【００１６】
例えば過揺動防止材２０をマジックテープ等で着脱自在にし、素材や厚さの異なる複数種類の過揺動防止材２０を用意すれば、0.3CTのペンダント６０を飾る場合と、１CTのペンダント６０を飾る場合等、同一の展示台であってもペンダント６０の装飾片６２の大きさに対応して揺動の大きさを自由に調節することも可能である。
【００１７】
図５および図６は、揺動装置４０の正面図および側面図である。揺動装置４０は、例えば実用新案登録第２９３７２８７号に記載された太陽電池５８により振り子４０が左右に振り子運動をする装置である。振り子４２は、リング状の係止部材５２により回転軸５０に接合されている。この回転軸５０は揺動装置４０の上部に穿設された孔５４に回転自在に取り付けられている。振り子４２の下部には開口部が下向きになるようにコの字型のヨーク鉄板４４が形成され、その垂れ下がった下部内側には永久磁石４６a,４６bが駆動コイル４８を挟むように向き合って取り付けられている。
【００１８】
駆動コイル４８は太陽電池５８を電源として励磁されることにより永久磁石４６a,４６bに対して電磁力を及ぼすコイルである。駆動コイル４８が励磁されることにより、永久磁石４６a,４６bが反発して振り子４２が隙間４９を飛び出して振り子運動を行う。なお、太陽電池５８は蛍光灯のような光でも十分な電力を出力可能な太陽電池である。
【００１９】
本実施の形態では、このように太陽電池を電源とすることで、電源コンセントが近くになかったり、スペースの確保が困難な宝飾品の店頭でも使用可能である。また、電源を乾電池にした場合のように定期的に電源を交換する等の手間が不要となり、半永久的に動作が可能なので保守性に優れた装身具用展示台を提供することができる。
【００２０】
図７は振り子運動の動作を図示した揺動装置４０の正面図である。振り子４２は矢印に示したように振り子運動を行い、それに伴ってヨーク鉄板４４は隙間４９（図６参照）を超えて左右に振り子運動を行う。このような動作により、ヨーク鉄板４４の左右の角４７a,４７bが図１に示した接合部材１８a,１８bに取り付けられている過揺動防止材２０a,２０bに接触し、その衝撃により展示面１２を含むハウジング１１が左右に間欠的に微振動する。
【００２１】
このように、本実施の形態では揺動装置４０の連続的な振り子運動の動作を宝飾品ディスプレイに適した間欠的に微振動の動きに変換している。これにより、展示面１２に吊り下げられたペンダント６０の装飾片６２（図１０参照）には断続的に微細な振動が与えられ、装飾片６２を左右方向または前後方向に大きく揺動させることができる。
【００２２】
したがって、装飾片６２に取り付けた宝石７２には異なる角度で連続的に光線が入射し、強い反射光を連続的に生じさせることができる。展示面１２に飾られたペンダント６０はキラキラと美しく輝くことができ、購買者の注意を喚起し、その購買意欲を増進させることができる。
【００２３】
以上、図面を用いて本考案の実施の形態を説明したが、本考案は特にこれに限定されるものではない。具体的には、例えば本実施の形態では展示面１２は長方形の板が概ね垂直に直立した構造になっているが、展示面１２の形状は特にこれに限定されるものではなく、楕円形や円筒形または円錐の上部を水平に切断したような形状であってもよい。
【図面の簡単な説明】
【００２４】
【図１】本考案による装身具用展示台の実施の形態を示す正面図である。
【図２】本考案による装身具用展示台の実施の形態を示す背面図である。
【図３】本考案による装身具用展示台の実施の形態を示す側面図である。
【図４】本考案による装身具用展示台の実施の形態を示す上面図である。
【図５】本考案による装身具用展示台の揺動装置の正面図である。
【図６】本考案による装身具用展示台の揺動装置の側面図である。
【図７】本考案による装身具用展示台の揺動装置の動作を示す正面図である。
【図８】従来技術における装身具用展示台の斜視図である。
【図９】ペンダントに取り付けた装飾片の揺動状態を示す正面図である。
【図１０】ペンダントに取り付けた装飾片の揺動状態を示す側面図である。
【符号の説明】
【００２５】
１０  装身具用展示台
１１  ハウジング
１２  展示面
１４  背面板
１６  円柱
１８a,１８b  接合部材
２０a,２０b  過揺動防止部材
２２a,２２b  溝
２６  ネックレス留め
３２，３４  板
４０  揺動装置
４２  振り子
４４  ヨーク鉄板
４６a,４６b  永久磁石
４８  駆動コイル
４９  隙間
５０  回転軸
５８  太陽電池
６０  ペンダント
６１  チェーン
６２  装飾片
７２  宝石
【図１】
0003105141.tif 000003
【図２】
0003105141.tif 000004
【図３】
0003105141.tif 000005
【図４】
0003105141.tif 000006
【図５】
0003105141.tif 000007
【図６】
0003105141.tif 000008
【図７】
0003105141.tif 000009
【図８】
0003105141.tif 000010
【図９】
0003105141.tif 000011
【図１０】
0003105141.tif 000012